(57)【特許請求の範囲】
【請求項１】
干渉情報の報告を実現する方法であって、
ユーザ装置（ＵＥ）が装置内共存干渉の干渉状態が変化したことを検出した場合、第１の無線技術の周波数情報、または第１の無線技術の周波数情報及び付加的な干渉情報をネットワーク側に報告するステップ、
または、ＵＥが装置内共存干渉の干渉状態が変化したことを検出した場合、第１の無線技術の周波数情報をネットワーク側に報告し、ＵＥがネットワーク側からの付加的な情報報告を要求する指示を受信した場合、付加的な干渉情報をネットワーク側に報告するステップと、
ＵＥが、ネットワーク側が報告された周波数情報または周波数情報及び付加的な干渉情報によって行った決定を受信するステップと、
を含み、
前記決定は、
ＵＥを、装置内共存干渉が生じない、同じセルを覆うセルに切り替え、
または、ＵＥが実行している干渉抑制対策を取り消しまたは停止し、
または、ＵＥを、装置内共存干渉が生じない隣セルに切り替え、
または、装置内共存干渉が存在する１つまたは複数の補助サービングセル（Ｓｃｅｌｌ）を削除し或いは非活性化し、及び／または装置内共存干渉が存在せず且つメインサービングセル（Ｐｃｅｌｌ）とキャリアアグリゲーションを行うことが可能な、削除し或いは非活性化されたＳｃｅｌｌと異なるセルを覆う１つまたは複数のＳｃｅｌｌを増加し或いは活性化し、
または、使用し始めた、装置内共存干渉が生じる各無線技術にＴＤＭの動作モードを配置し、
または、装置内共存干渉が存在する１つまたは複数のＳｃｅｌｌを削除し或いは非活性化し、及び／または装置内共存干渉が存在せず且つＰｃｅｌｌとキャリアアグリゲーションを行うことが可能な、削除し或いは非活性化されたＳｃｅｌｌと同じセルを覆う他のＳｃｅｌｌを増加し或いは活性化し、
または、ＵＥ内の第１の無線技術のアップリンク伝送パワーを低減し或いは制限する
ことのうちから、選択的に決定されることを特徴とする干渉情報の報告を実現する方法。
【請求項２】
前記装置内共存干渉の干渉状態が変化したことは、ＵＥが、装置内共存干渉が存在しない状態から装置内共存干渉が存在する状態に変化し、及びＵＥが、装置内共存干渉が存在し且つ干渉抑制対策を実行した状態から、装置内共存干渉が存在しない状態に変化することである
ことを特徴とする請求項１に記載の方法。
【請求項３】
前記第１の無線技術の周波数情報は、干渉されない周波数情報及び／または干渉された周波数情報である
ことを特徴とする請求項１に記載の方法。
【請求項４】
前記干渉されない周波数情報とは、第１の無線技術と他の無線技術が同時に動作する場合、使用し始めた他の無線技術と装置内共存干渉が生じない、第１の無線技術における干渉されない動作周波数及び／または干渉されない動作周波数範囲である
ことを特徴とする請求項３に記載の方法。
【請求項５】
前記干渉された周波数情報とは、第１の無線技術と他の無線技術が同時に動作する場合、使用し始めた他の無線技術と装置内共存干渉が生じる、第１の無線技術における干渉された動作周波数及び／または干渉された動作周波数範囲である
ことを特徴とする請求項３に記載の方法。
【請求項６】
前記方法において、さらに、
ＵＥは装置内共存干渉が存在しないことを検出した場合、ＵＥからネットワークに報告される第１の無線技術の周波数情報は、空になるステップを含む
ことを特徴とする請求項３に記載の方法。
【請求項７】
第１の無線技術の周波数情報をネットワーク側に報告する前記ステップは、
ＵＥが、周波数範囲における干渉された周波数範囲の区間の左側しきい値である下限周波数及び／または干渉された周波数範囲の区間の右側しきい値である上限周波数を報告する方法または、周波数バンドのインデックス番号によって干渉された周波数範囲を報告する方法を用いて、第１の無線技術の周波数情報をネットワーク側に報告する
ことを特徴とする請求項１に記載の方法。
【請求項８】
周波数範囲における下限周波数及び／または上限周波数を報告する前記方法は、具体的な値を報告する方法であり、または、発展型ＵＭＴＳ地上無線アクセスアブソリュート無線周波数チャネル番号（ＥＡＲＦＣＮ）の方法であり、
周波数バンドのインデックス番号によって周波数範囲を報告する方法は、ＵＥとネットワークによって予め約束された周波数情報リストまたはプロトコルにより既定義された周波数情報リストによって、ＵＥが前記リストにおける前記周波数範囲に対応するインデックス番号を検索し、そして第１の無線技術の周波数情報を報告する時にインデックス番号をネットワーク側に知らせる
ことを特徴とする請求項７に記載の方法。
【請求項９】
前記付加的な干渉情報は、
各無線技術が時分割多重（ＴＤＭ）モードで動作する場合のＴＤＭ情報、及び／または現在の利用可能な測定結果、及び／または第１の無線技術のアップリンク伝送が他の無線技術受信に干渉する指示である
ことを特徴とする請求項１に記載の方法。
【請求項１０】
付加的な干渉情報を報告するようにＵＥに指示する前記ステップにおいて、
ネットワーク側は、干渉方向の付加的な干渉情報の報告指示またはＴＤＭ情報の付加的
な干渉情報の報告指示である付加的な干渉情報の報告指示を送信する方式、または、ＵＥに測定を配置する方式により、付加的な干渉情報を報告するようにＵＥに指示する
ことを特徴とする請求項１に記載の方法。
【請求項１１】
干渉情報の報告を実現するシステムであって、前記システムは、ＵＥ、ネットワーク側を含み、ここで、
前記ＵＥは、装置内共存干渉の干渉状態が変化したことを検出した場合、第１の無線技術の周波数情報、または第１の無線技術の周波数情報及び付加的な干渉情報をネットワーク側に報告することに用いられ、
または、装置内共存干渉の干渉状態が変化したことを検出した場合、第１の無線技術の周波数情報をネットワーク側に報告し、ネットワーク側からの付加的な情報報告を要求する指示を受信した場合、付加的な干渉情報をネットワーク側に報告することに用いられ、
前記ネットワーク側は、付加的な干渉情報を報告するようにＵＥに指示することに用いられ、
また、報告された周波数情報または周波数情報及び付加的な干渉情報によって決定を行い、そして前記決定をＵＥに送信することに用いられ、
前記決定は、
ＵＥを、装置内共存干渉が生じない、同じセルを覆うセルに切り替え、
または、ＵＥが実行している干渉抑制対策を取り消しまたは停止し、
または、ＵＥを、装置内共存干渉が生じない隣セルに切り替え、
または、装置内共存干渉が存在する１つまたは複数の補助サービングセル（Ｓｃｅｌｌ）を削除し或いは非活性化し、及び／または装置内共存干渉が存在せず且つメインサービングセル（Ｐｃｅｌｌ）とキャリアアグリゲーションを行うことが可能な、削除し或いは非活性化されたＳｃｅｌｌと異なるセルを覆う１つまたは複数のＳｃｅｌｌを増加し或いは活性化し、
または、使用し始めた、装置内共存干渉が生じる各無線技術にＴＤＭの動作モードを配置し、
または、装置内共存干渉が存在する１つまたは複数のＳｃｅｌｌを削除し或いは非活性化し、及び／または装置内共存干渉が存在せず且つＰｃｅｌｌとキャリアアグリゲーションを行うことが可能な、削除し或いは非活性化されたＳｃｅｌｌと同じセルを覆う他のＳｃｅｌｌを増加し或いは活性化し、
または、ＵＥ内の第１の無線技術のアップリンク伝送パワーを低減し或いは制限する
ことのうちから、選択的に決定されることを特徴とする干渉情報の報告を実現するシステム。
【発明の詳細な説明】
【技術分野】
【０００１】
本発明は、端末装置分野の様々な無線技術の共存技術に関し、特に干渉情報の報告を実現する方法、システム及びＵＥに関する。
【背景技術】
【０００２】
無線技術と知的端末装置の発展に伴い、端末装置ユーザの異なる通信需要をサポートするために、同じ端末装置（ＵＥ：Ｕｓｅｒ  Ｅｑｕｉｐｍｅｎｔ）に様々な無線技術を統合する必要がある。図１は、従来技術において同時に３つの無線技術を用いた端末装置の構成を示す図である。図１に示すように、当該端末装置に、それぞれ長期発展型（ＬＴＥ：Ｌｏｎｇ  Ｔｅｒｍ  Ｅｖｏｌｕｔｉｏｎ）技術を用いたサブモジュール１０１、ＩＥＥＥ  Ｓｔｄ  ８０２．１１規格に規定された無線ローカルエリアネットワーク（ＷＬＡＮ：Ｗｉｒｅｌｅｓｓ  Ｌｏｃａｌ  Ａｒｅａ  Ｎｅｔｗｐｒｋｓ）技術を用いたサブモジュール１０２、即ち無線ローカルエリアネットワークステーション（ＷＬＡＮ：Ｗｉｒｅｌｅｓｓ  Ｌｏｃａｌ  Ａｒｅａ  Ｎｅｔｗｐｒｋｓ  Ｓｔａｔｉｏｎ）、及びＩＥＥＥ  Ｓｔｄ  ８０２．１５規格に規定されたブルートゥース（Ｂｌｕｅｔｏｏｔｈ（登録商標））を用いたサブモジュール１０３を用いる。１０１、１０２、１０３の３つのサブモジュールは、無線技術間のインタフェイス（ｉｎｔｅｒ−ｒａｄｉｏ  ｉｎｔｅｒｆａｃｅ）を介して接続され、例えば１０１サブモジュールと１０２サブモジュールがＬ１０１を介して接続され、１０２サブモジュールと１０３サブモジュールがＬ１０２を介して接続され、１０１サブモジュールと１０３サブモジュールがＬ１０３を介して接続され、または、３つのサブモジュールが１つの共通の制御モジュール１０４に制御され、端末装置の３つのサブモジュールがそれぞれ各無線技術に対応する反対側装置と無線通信し、１０１と長期発展型基地局（ＬＴＥ  ｅＮＢ：Ｅ−ＵＴＲＡＮ  ＮｏｄｅＢ）１０５がエアインターフェースを介して無線通信し、１０２と別のＷＬＡＮ  ＳＴＡ１０６がエアインタフェースを介して無線通信し、１０３と別のＢｌｕｅｔｏｏｔｈ１０７がエアインタフェースを介して無線通信する。
【０００３】
同じ端末に様々な無線技術を採用したサブモジュールが設計された場合、端末装置の体積が限られることに鑑み、必ず、２つ以上の無線技術を採用したサブモジュールが同時に設計された端末装置においては、２つ以上の無線技術を採用したサブモジュール間の空間距離が小さく、例えば数センチひいては数ミリしかないことを意味し、かつ当該２つ以上の無線技術に対応するアンテナポート間の空間的隔離度が十分に大きく設計されることができないため、同じ端末装置内の各無線技術を採用したサブモジュールが隣接した周波数帯域で動作している場合、帯域外放射（Ｏｕｔ  ｏｆ  ｂａｎｄ  ｅｍｉｓｓｉｏｎ）、スプリアス放射（Ｓｐｕｒｉｏｕｓｅｍｉｓｓｉｏｎ）、受信機ブロッキング（Ｂｌｏｃｋｉｎｇ）などの理由により、その中の１つの無線技術を採用したサブモジュールが信号を送信すると、別の無線技術を採用したサブモジュールが信号を受信することに干渉し、その逆も同様であり、そして従来技術におけるフィルタ技術によりこのような隣接チャネル干渉を除去できず、それによって各無線技術を採用したサブモジュールの通信品質に影響を与え、本分野においてこのような隣接チャネル干渉現象は「装置内共存干渉」（ＩＣＯ：Ｉｎ−ｄｅｖｉｃｅ  Ｃｏｅｘｉｓｔｅｎｃｅ  ｉｎｔｅｒｆｅｒｅｎｃｅ）と呼ばれている。
【０００４】
図１に示すような端末装置、ＷＬＡＮ−ＳＴＡとＢｌｕｅｔｏｏｔｈは、「産業科学医療（ＩＳＭ：Ｉｎｄｕｓｔｒｉａｌ  Ｓｃｉｅｎｔｉｆｉｃ  ａｎｄ  Ｍｅｄｉｃａｌ）」周波数バンドで動作し、周波数範囲が２．４ＧＨｚ〜２．５ＧＨｚであり、ＷＬＡＮチャネル（ＷＬＡＮ  Ｃｈａｎｎｅｌ）はＩＳＭ周波数バンドにおける２．４ＧＨｚ〜２．４８３５ＧＨｚ周波数範囲が用いられ、Ｂｌｕｅｔｏｏｔｈチャネル（Ｂｌｕｅｔｏｏｔｈ  Ｃｈａｎｎｅｌ）はＩＳＭ周波数バンドにおける２．４ＧＨｚ〜２．４９７ＧＨｚ周波数範囲が用いられる。ＬＴＥの時分割複信（ＴＤＤ：Ｔｉｍｅ  Ｄｉｖｉｓｉｏｎ  Ｄｕｐｌｅｘ）モードは、周波数範囲が２．３ＧＨｚ〜２．４ＧＨｚである周波数バンド４０（Ｂａｎｄ４０）と周波数範囲が２．５７ＧＨｚ〜２．６２ＧＨｚである周波数バンド３８（Ｂａｎｄ３８）で動作している。周波数分割複信（ＦＤＤ：Ｆｒｅｑｕｅｎｃｙ  Ｄｉｖｉｓｉｏｎ  Ｄｕｐｌｅｘ）モードのアップリンク伝送（Ｕｐｌｉｎｋ  Ｔｒａｎｓｍｉｓｓｉｏｎ）、即ちＵＥからｅＮＢへの伝送は、周波数範囲が２．５ＧＨｚ〜２．５７ＧＨｚである周波数バンド７（Ｂａｎｄ７）で動作している。ＦＤＤモードのダウンリンク伝送（Ｄｏｗｎｌｉｎｋ  Ｔｒａｎｓｍｉｓｓｉｏｎ）、即ちｅＮＢからＵＥへの伝送は、周波数範囲が２．６２ＧＨｚ〜２．６９ＧＨｚのＢａｎｄ７で動作している。図２は、従来技術においてＩＳＭ周波数バンドとＬＴＥ周波数バンドの分布を示す図である。図２に示すように、ＩＳＭ周波数バンドはちょうどＬＴＥ  ＴＤＤモードのＢａｎｄ４０、ＬＴＥ  ＦＤＤモードのＢａｎｄ７のアップリンク伝送周波数範囲に隣接している。そのため、１０１サブモジュールはＴＤＤモード且つＢａｎｄ４０を用いると、１０１サブモジュールと１０２サブモジュール、１０３サブモジュールがそれぞれ互いに干渉する。１０１サブモジュールはＦＤＤモード且つＢａｎｄ７を用いると、ＬＴＥ  Ｂａｎｄ７のアップリンク周波数バンドがＩＳＭ周波数バンドに隣接しているから、１０１サブモジュールのアップリンク送信が１０２サブモジュールまたは１０３サブモジュールのダウンリンク受信に干渉する。
【０００５】
装置内共存干渉が端末装置ユーザの通信品質に影響を与え、ユーザの通信体験を低減させるので、このような装置内共存干渉による様々な無線技術の通信品質に対する影響を抑制するために、ネットワーク側は、ＬＴＥを用いたサブモジュールの動作効率、または他の無線サブモジュールの動作効率を変更することにより、ＬＴＥを用いたサブモジュールの動作効率と他の無線サブモジュールの動作効率との間の周波数間隔が十分に大きくなるという周波数分割多重の方法を用いてよいし、または、ネットワーク側は、ＬＴＥサブモジュールと他の無線サブモジュールの伝送時間を制御することにより、ＬＴＥを用いたサブモジュールと他の無線サブモジュールが異なる期間で信号伝送を行うようになるという時分割多重方法を用いてよいし、または、ＬＴＥを用いたサブモジュールに近いアップリンクの送信が他の無線サブモジュールのダウンリンクの受信に干渉した場合、ネットワーク側は、ＬＴＥを用いたサブモジュールのアップリンクの送信に対してパワー制御を行い、ＬＴＥを用いたサブモジュールのアップリンクの送信パウーを一定の制限範囲に制御することができる。上記のどのスキームを用いて装置内共存干渉を解決するかに関わらず、従来技術において、ネットワーク側は、いずれも装置内共存干渉情報を取得できず、それによって装置内共存干渉による悪影響を解決することができない。
【発明の概要】
【発明が解決しようとする課題】
【０００６】
これを鑑みて、本発明の主な目的は、干渉情報を報告する方法、システム及び、干渉に関連する周波数情報及び付加的な情報をネットワーク側に報告できるＵＥを提供することにある。
【課題を解決するための手段】
【０００７】
前記目的を実現するために、本発明の技術的スキームは、以下のように実現される。
【０００８】
本発明に係る干渉情報の報告を実現する方法は、
ユーザ装置（ＵＥ）が、装置内共存干渉の干渉状態が変化したことを検出した場合、第１の無線技術の周波数情報、または第１の無線技術の周波数情報及び付加的な干渉情報をネットワーク側に報告するステップ、
または、ＵＥが、装置内共存干渉の干渉状態が変化したことを検出した場合、第１の無線技術の周波数情報をネットワーク側に報告し、ＵＥが、ネットワーク側からの付加的な情報報告を要求する指示を受信した場合、付加的な干渉情報をネットワーク側に報告するステップを含む。
【０００９】
前記方法において、
前記装置内共存干渉の干渉状態が変化したことは、ＵＥが、装置内共存干渉が存在しない状態から装置内共存干渉が存在する状態に変化し、及びＵＥが、装置内共存干渉が存在し且つ干渉抑制対策を実行した状態から、装置内共存干渉が存在しない状態に変化することである。
【００１０】
前記方法において、
前記第１の無線技術の周波数情報は、干渉されない周波数情報及び／または干渉された周波数情報である。
【００１１】
前記方法において、
前記干渉されない周波数情報とは、第１の無線技術と他の無線技術が同時に動作する場合、使用し始めた他の無線技術と装置内共存干渉が生じない、第１の無線技術における干渉されない動作周波数及び／または干渉されない動作周波数範囲である。
【００１２】
前記方法において、
前記干渉された周波数情報とは、第１の無線技術と他の無線技術が同時に動作する場合、使用し始めた他の無線技術と装置内共存干渉が生じる、第１の無線技術における干渉された動作周波数及び／または干渉された動作周波数範囲である。
【００１３】
前記方法において、さらに、
ＵＥが装置内共存干渉が存在しないことを検出した場合、ＵＥからネットワークに報告される第１の無線技術の周波数情報は、空になるステップを含む。
【００１４】
前記方法において、第１の無線技術の周波数情報をネットワーク側に報告する前記ステップは、
ＵＥが、周波数範囲における干渉された周波数範囲の区間の左側しきい値である下限周波数及び／または干渉された周波数範囲の区間の右側しきい値である上限周波数を報告する方法または、周波数バンドのインデックス番号によって干渉された周波数範囲を報告する方法を用いて、第１の無線技術の周波数情報をネットワーク側に報告する。
【００１５】
前記方法において、
周波数範囲における下限周波数及び／または上限周波数を報告する前記方法は、具体的な値を報告する方法であり、または、発展型ＵＭＴＳ地上無線アクセスアブソリュート無線周波数チャネル番号（ＥＡＲＦＣＮ）の方法である。
【００１６】
周波数バンドのインデックス番号によって周波数範囲を報告する方法は、ＵＥとネットワークが予め約束された周波数情報リストまたはプロトコルにより既定義された周波数情報リストによって、ＵＥが前記リストにおける前記周波数範囲に対応するインデックス番号を検索し、そして第１の無線技術の周波数情報を報告する時にインデックス番号をネットワーク側に知らせる。
【００１７】
前記方法において、前記付加的な干渉情報は、
各無線技術が時分割多重（ＴＤＭ）モードで動作する場合のＴＤＭ情報、及び／または現在の利用可能な測定結果、及び／または第１の無線技術のアップリンク伝送が他の無線技術受信に干渉する指示である。
【００１８】
前記方法において、
第１の無線技術の周波数情報、または第１の無線技術の周波数情報及び付加的な干渉情報をネットワーク側に報告した後に、前記方法は、さらに、ネットワーク側が報告された周波数情報または周波数情報及び付加的な干渉情報によって決定を行い、そして前記決定をＵＥに送信するステップを含む。
【００１９】
前記方法において、前記決定は、
ＵＥを、装置内共存干渉が生じない、同じセルを覆うセルに切り替え、または、ＵＥが実行している干渉の抑制対策を取り消しまたは停止し、または、ＵＥを、装置内共存干渉が生じない隣セルに切り替え、または、装置内共存干渉が存在する１つまたは複数の補助サービングセル（Ｓｃｅｌｌ）を削除し或いは非活性化し、及び／または、装置内共存干渉が存在ぜず且つメインサービングセル（Ｐｃｅｌｌ）とキャリアアグリゲーションを行うことが可能な、削除し或いは非活性化されたＳｃｅｌｌと異なるセルを覆う１つまたは複数のＳｃｅｌｌを増加し或いは活性化し、または、使用し始めた、装置内共存干渉が生じる各無線技術にＴＤＭの動作モードを配置し、または、装置内共存干渉が存在する１つまたは複数のＳｃｅｌｌを削除し或いは非活性化し、及び／または、装置内共存干渉が存在せず且つＰｃｅｌｌとキャリアアグリゲーションを行うことが可能な、削除し或いは非活性化されたＳｃｅｌｌと同じセルを覆う他のＳｃｅｌｌを増加し或いは活性化し、または、ＵＥ内の第１の無線技術のアップリンク伝送パワーを低減し或いは制限することである。
【００２０】
前記方法において、付加的な干渉情報を報告するようにＵＥに指示する前記ステップにおいて、
ネットワーク側は、付加的な干渉情報の報告指示を送信する方式またはＵＥに測定を配置する方式により、付加的な干渉情報を報告するようにＵＥに指示し、ここで、付加的な干渉情報の報告指示は、干渉方向の付加的な干渉情報の報告指示であり、またはＴＤＭ情報の付加的な干渉情報の報告指示である。
【００２１】
本発明に係る干渉情報の報告を実現するシステムは、
装置内共存干渉の干渉状態が変化したことを検出した場合、第１の無線技術の周波数情報、または第１の無線技術の周波数情報及び付加的な干渉情報をネットワーク側に報告することに用いられ、
または、装置内共存干渉の干渉状態が変化したことを検出した場合、第１の無線技術の周波数情報をネットワーク側に報告し、ネットワーク側からの付加的な情報報告を要求する指示を受信した場合、付加的な干渉情報をネットワーク側に報告することに用いられるＵＥと、
付加的な干渉情報を報告するようにＵＥに指示することに用いられるネットワーク側と、
を含む。
【００２２】
前記システムにおいて、
前記ネットワーク側は、さらに、報告された周波数情報、または周波数情報及び付加的な干渉情報によって決定を行い、そして前記決定をＵＥに送信することに用いられる。
【００２３】
本発明に係るＵＥは、装置内共存干渉の干渉状態が変化したことを検出した場合、第１の無線技術の周波数情報、または第１の無線技術の周波数情報及び付加的な干渉情報をネットワーク側に報告することに用いられ、
または、装置内共存干渉の干渉状態が変化したことを検出した場合、第１の無線技術の周波数情報をネットワーク側に報告し、ネットワーク側からの付加的な情報報告を要求する指示を受信した場合、付加的な干渉情報をネットワーク側に報告することに用いられることを特徴とする。
【発明の効果】
【００２４】
本発明に係る情報の報告を実現する方法、システム及びＵＥにおいて、ユーザ装置（ＵＥ）は、装置内共存干渉の干渉状態が変化したことを検出した場合、第１の無線技術の周波数情報、または第１の無線技術の周波数情報及び付加的な干渉情報をネットワーク側に報告し、または、ＵＥは、装置内共存干渉の干渉状態が変化したことを検出した場合、第１の無線技術の周波数情報をネットワーク側に報告し、ＵＥは、ネットワーク側からの付加的な情報報告を要求する指示を受信した場合、付加的な干渉情報をネットワーク側に報告する。これにより、ＵＥが干渉に関連する周波数情報及び付加的な情報をネットワーク側に報告するのを実現し、実現方法は、簡単で柔軟性があり、且つより高い効率を有し、ネットワーク側がＵＥから報告された周波数情報及び付加的な情報によって、装置内共存干渉に一致する適切な対策を出すことが保証できる。
【図面の簡単な説明】
【００２５】
【図１】従来技術において３つの無線技術を同時に用いた端末装置の構成を示す図である。
【図２】従来技術においてＩＳＭ周波数バンドとＬＴＥ周波数バンドの分布を示す図である。
【図３】本発明に係る干渉情報の報告を実現する方法を採用した第１の実施形態のフローチャートである。
【図４】本発明に係る干渉情報の報告を実現する方法を採用した第２の実施形態のフローチャートである。
【図５】本発明に係る干渉情報の報告を実現するシステムの構成を示す図である。
【発明を実施するための形態】
【００２６】
本発明の実施形態では、ＵＥとは、２つ以上の無線技術が共存するユーザ通信用端末装置であり、携帯電話、スマートフォン、携帯通信装置、パーソナルデータ処理装置（ＰＤＡ：Ｐｅｒｓｏｎａｌ  Ｄｉｇｉｔａｌ  Ａｓｓｉｓｔａｎｔ）などを含み、２つの無線技術の共存とは、ＵＥの内部において、第１の無線技術を用い、第１の無線通信プロトコル仕様で動作し、且つプロトコルに規定された周波数範囲に信号を送受信する第１の無線送受信機と、第２の無線技術を用い、第２の無線通信プロトコル仕様で動作し、且つプロトコルに規定された周波数範囲に信号を送受信する第２の無線送受信機と、これによって類推されるうちの２つ以上の無線送受信機が存在することである。第１の無線技術の動作周波数範囲と他の無線技術の動作周波数範囲は少なくとも部分的に重なり合い或いは隣接し、ここで、第１の無線技術がＬＴＥ技術、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）技術、ＩＥＥＥ  ８０２．１６仕様によるＷｉｍａｘ技術などであってよく、前記第１の無線技術の一部の動作周波数またはその高調波周波数とＩＳＭ周波数範囲が重なり合い或いは隣接し、他の無線技術がＷＬＡＮ技術、Ｂｌｕｅｔｏｏｔｈ技術、ＩＥＥＥ  ８０２．１５.４仕様によるＺｉｇｂｅｅ（登録商標）技術などであってよく、他の無線技術の動作周波数がＩＳＭ周波数範囲である。
【００２７】
本発明の基本的な考え方として、ユーザ装置（ＵＥ）は装置内共存干渉の干渉状態が変化したことを検出した場合、第１の無線技術の周波数情報、または第１の無線技術の周波数情報と付加的な干渉情報をネットワーク側に報告し、または、ＵＥは装置内共存干渉の干渉状態が変化したことを検出した場合、第１の無線技術の周波数情報をネットワーク側に報告し、ＵＥはネットワーク側からの付加的な情報を報告するように要求する指示を受信した場合、付加的な干渉情報をネットワーク側に報告することである。
【００２８】
以下、図面及び具体的な実施形態により本発明を更に詳細に説明する。
【００２９】
本発明は、干渉情報の報告を実現する方法を提供し、図３が本発明に係る情報の報告を実現する方法を採用した第１の実施形態のフローチャートであり、図３に示すように、この方法は、以下のステップを含む。
【００３０】
ステップ３０１において、ＵＥが装置内共存干渉の干渉状態が変化したことを検出した場合、第１の無線技術の周波数情報、または第１の無線技術の周波数情報及び付加的な干渉情報をネットワーク側に報告する。
【００３１】
具体的には、装置内共存干渉の干渉状態が変化したことは、ＵＥが、装置内共存干渉が存在しない状態から装置内共存干渉が存在する状態に変化し、及び、ＵＥが、装置内共存干渉が存在し且つ干渉抑制対策を実行した状態から、装置内共存干渉が存在しない状態に変化することを含む。ＵＥが、装置内共存干渉の干渉状態が変化したことを判断する方法は、端末装置ＵＥが、使用し始めた、ＵＥ内に共存している各無線技術を採用したサブモジュールの状態によって装置内共存干渉の状態を判断することであり、この使用し始めた、ＵＥ内に共存している各無線技術を採用したサブモジュールの状態とは、ＵＥに共存している各無線技術を採用したサブモジュールのＯＮ／ＯＦＦ状態である。
【００３２】
ＵＥ内の第１の無線技術と他の無線技術が同時にＯＮ状態にあり、且つ各無線技術の動作周波数が装置内共存干渉を引き起こすように十分に近いと、ＵＥは、装置内共存干渉の干渉状態が変化したことを検出したと確定し、または、ＵＥ内に装置内共存干渉が存在し且つＵＥが干渉抑制対策を実行した場合、干渉が生じるある無線技術がＯＦＦになると、ＵＥは、装置内共存干渉の干渉状態が変化したと確定する。
【００３３】
ＵＥが装置内共存干渉の干渉状態が変化したことを検出した場合、第１の無線技術の周波数情報、または第１の無線技術の周波数状態及び付加的な干渉情報をネットワーク側に報告する。ここで、当該周波数情報とは、干渉されない周波数情報と干渉された周波数情報のうちの少なくとも１つであり、干渉されない周波数情報とは、第１の無線技術と他の無線技術が同時に動作する場合、使用し始めた他の無線技術と装置内共存干渉が生じない、第１の無線技術の干渉されない動作周波数または干渉されない動作周波数範囲であり、干渉された周波数情報とは、第１の無線技術と他の無線技術が同時に動作する場合、使用し始めた他の無線技術と装置内共存干渉が生じる、第１の無線技術の干渉された動作周波数または干渉された動作周波数範囲である。ここで、ステップ３０１において、ＵＥは装置内共存干渉が存在しないのを確定した場合、ＵＥからネットワーク側に報告された第１の無線技術の周波数情報は、空になる。
【００３４】
第１の無線技術の周波数情報をネットワーク側に報告する前記ステップは、ＵＥが周波数範囲の下限周波数及び／または上限周波数を報告する方法、または、周波数バンドのインデックス番号によって干渉された周波数範囲を報告する方法を用いて、第１の無線技術の周波数情報をネットワーク側に報告し、ここで、下限周波数は、干渉された周波数範囲の区間の左側しきい値であり、上限周波数は、干渉された周波数範囲の区間の右側しきい値である。
【００３５】
前記周波数範囲の下限周波数及び／または上限周波数を報告する前記方法は、具体的な値を報告する方法であり、または発展型ＵＭＴＳ地上無線アクセスアブソリュート無線周波数チャネル番号（ＥＡＲＦＣＮ：Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）方法である。
【００３６】
前記周波数バンドのインデックス番号によって周波数範囲を報告する前記方法において、ＵＥとネットワークが予め約束された周波数情報リストまたはプロトコルにより既定義された周波数情報リストによって、ＵＥは前記リストにおける前記周波数範囲に対応するインデックス番号を検索し、ＵＥは第１の無線技術の周波数情報を報告する時に、インデックス番号をネットワーク側に知らせる。
【００３７】
第１の無線技術がＬＴＥ技術とすることを例として説明し、第１の無線技術の周波数情報とは、ＬＴＥ技術の周波数情報、即ちＬＴＥ技術の干渉されない周波数情報または干渉された周波数情報であり、前記ＬＴＥ技術の周波数情報の推定方法は、図１に示すようなＬ１０１インターフェイス、Ｌ１０３インターフェイスまたは制御モジュール１０４を介して、端末装置内に使用し始めた、ＩＳＭ周波数範囲における他の無線技術を採用したサブモジュールが用いている中心周波数、他の無線技術を採用したサブモジュールが用いる送信パワー及びフィルタ特性などのパラメータを取得し、ＵＥが前記パラメータによってＬＴＥ技術の周波数情報を推定することである。
【００３８】
ここで、ＬＴＥ技術の干渉された周波数範囲を例として説明し、特定のテスト環境に応じて、ＬＴＥ技術とＢＴ技術が干渉を生じる周波数範囲、及びＬＴＥ技術とＷＬＡＮ技術が干渉を生じる周波数範囲を与え、その中用いられたパラメータ値がＬＴＥ技術、ＢＴ技術及びＷＬＡＮ技術の代表的な値であり、ＬＴＥ技術がＢＴ技術に干渉する場合、ＬＴＥ技術の干渉された周波数範囲は、表１に示される。
【００３９】
【表１】
0005968910.tif 000002
【００４０】
ＬＴＥ技術がＷＬＡＮ技術に干渉する場合、ＬＴＥ技術の干渉された周波数範囲は、表２に示される。
【００４１】
【表２】
0005968910.tif 000003
【００４２】
ＢＴ技術がＬＴＥ技術に干渉する場合、ＬＴＥ技術の干渉された周波数範囲は、表３に示される。
【００４３】
【表３】
0005968910.tif 000004
【００４４】
ＷＬＡＮ技術がＬＴＥ技術に干渉する場合、ＬＴＥ技術の干渉された周波数範囲は、表４に示される。
【００４５】
【表４】
0005968910.tif 000005
【００４６】
表１〜表４から分かるように、ＵＥは、他の無線技術のＯＮ状況及び用いられた中心周波数などのパラメータによって、ＬＴＥ技術の干渉された周波数範囲を推定できる。
【００４７】
例えば、現在のＢＴ技術がＬＴＥ技術に干渉し、ＢＴ技術が用いる周波数バンドの中心周波数が[２４２０，２４４０]にあると、ＬＴＥ技術の干渉された周波数範囲が[２３７５，２３９０]となり、当該周波数バンド範囲に基づき、本実施形態において、ＵＥは、装置内共存干渉の干渉状態が変化したと確定した場合、以下の２つの方法で第１の無線技術の周波数情報をネットワーク側に報告することができる。
【００４８】
方法一については、周波数範囲の下限周波数Ｆｌｏｗ及び／または上限周波数Ｆｈｉｇｈを報告する。
【００４９】
具体的には、周波数範囲の下限周波数Ｆｌｏｗ及び／または上限周波数Ｆｈｉｇｈを報告する方法は、具体的な値を報告する方法またはＥＡＲＦＣＮの方法であってよく、ここで、下限周波数ＦｌｏｗとはＬＴＥ技術の干渉された周波数範囲の区間の左側しきいであり、上限周波数ＦｈｉｇｈとはＬＴＥ技術の干渉された周波数範囲の区間の右側しきい値であり、ＥＡＲＦＣＮは０〜６５５３５の整数で、全てのＥ−ＵＴＲＡのキャリア周波数を示し、ＵＥとネットワーク側は既に予め周波数間隔を約束した場合、ここで上限周波数または下限周波数のうちの１つを報告するだけでよい。
【００５０】
ここで、具体的な値の方式で周波数範囲の下限周波数Ｆｌｏｗ及び／または上限周波数Ｆｈｉｇｈを報告する場合、ＵＥは、具体的な下限周波数Ｆｌｏｗ値２３７５及び／または具体的な上限周波数Ｆｈｉｇｈ値２３９０をネットワーク側に報告することができ、または、
ＥＡＲＦＣＮの方式で周波数範囲の下限周波数Ｆｌｏｗ及び／または上限周波数Ｆｈｉｇｈを報告する場合、ＬＴＥ技術においてＥＡＲＦＣＮの方式の使用方法は、図５に示すようにＥ−ＵＴＲＡチャネル番号リストである。
【００５１】
【表５】
0005968910.tif 000006
【００５２】
表５においてＥ−ＵＴＲＡ動作周波数バンド番号は、ＬＴＥ技術が動作する中心周波数の具体的な周波数バンド番号であり、表５においてＮＤＬとＮＵＬは、それぞれダウンリンクとアップリンクのＥＡＲＦＣＮであり、表５により、キャリア周波数とＥＡＲＦＣＮとの対応関係を得ることができ、具体的な数式は、以下の通りである。
【００５３】
ＦＤＬ＝ＦＤＬ−ｌｏｗ＋０．１（ＮＤＬ−ＮＯｆｆｓ−ＤＬ）    (１)
ＦＵＬ＝ＦＵＬ−ｌｏｗ＋０．１（ＮＵＬ−ＮＯｆｆｓ−ＵＬ）    (２)
ここで、数式(１)にダウンリンクキャリア周波数とダウンリンクＥＡＲＦＣＮとの対応関係を示し、数式(２)にアップリンクキャリア周波数とアップリンクＥＡＲＦＣＮとの対応関係を示す。
【００５４】
本実施形態において、干渉された周波数範囲は、Ｂａｎｄ４０に位置し、表５の最後の行に示すように、この場合にＢＴ技術がＬＴＥ技術の受信に干渉し、そのため表５におけるダウンリンク中のＢａｎｄ４０に対応するデータを検索し、数式(１)により、報告された周波数範囲の下限周波数Ｆｌｏｗの値が３９４００であり、報告された周波数範囲の上限周波数Ｆｈｉｇｈの値が３９５５０であることを計算できる。
【００５５】
周波数範囲の下限周波数Ｆｌｏｗ及び／または上限周波数Ｆｈｉｇｈを報告する方法を用いて第１の無線技術の周波数情報をネットワーク側に報告する利点は、報告された周波数範囲が動的に変化できる。従って、周波数範囲がより柔軟であり、従来のプロトコルを十分に用いて実現することが可能となり、実行性が高い。
【００５６】
方法二については、周波数バンドのインデックス番号によって周波数範囲を報告する。
【００５７】
具体的には、前記周波数バンドのインデックス番号によって周波数範囲を報告する前記方法において、プロトコルにより既定義された周波数バンド、またはＵＥとネットワーク側は、他の無線技術に干渉する可能性がある全ての周波数バンドを分け、そして周波数バンドを番号付け、最後に、周波数バンドリストを作って、ＵＥとネットワーク側に同じ周波数バンドリストが保存されることを保証するように反対側に知らせる。前記番号はインデックス番号であり、前記インデックス番号によって対応する具体的な周波数範囲を検索することができ、例えば、表１〜表４に示すように、前記インデックス番号は表１〜表４における通し番号欄に記載される数字であってよい。異なる周波数範囲に対応するインデックス番号はネットワーク側とＵＥが既協定されたものであるので、ＵＥは第１の無線技術の周波数情報を報告する場合、インデックス番号をネットワーク側に知らせればよい。通し番号範囲を合理的に設置することにより、ネットワーク側は、さらに、通し番号より具体的な干渉が生じた無線技術及び具体的な干渉方向を知ることができ、例えば、ＵＥがインデックス番号１４をネットワーク側に報告すると、ネットワーク側は、周波数バンドリストによって、現在、ＢＴ技術の送信がＬＴＥ技術の受信に干渉したのを確定できる。
【００５８】
周波数バンドのインデックス番号によって周波数範囲を報告する方法を用いて第１の無線技術の周波数情報をネットワーク側に報告する利点としては、ＵＥからネットワーク側に報告された情報負荷が小さく、効率が高く、即ち少ない情報ビットで多くの情報を伝送し、
または、第１の無線技術の周波数情報を報告する場合、ＵＥがさらに同時に現在の利用可能な付加的な干渉情報を報告することができ、当該付加的な情報が、各無線技術が時分割多重（ＴＤＭ）方式で動作する場合のＴＤＭ情報、及び／または現在の利用可能な測定結果、及び／または第１の無線技術のアップリンク伝送が他の無線技術の受信に干渉する指示を含む、ネットワーク側より決定された必要な、周波数情報以外の情報である。
【００５９】
ここで、ＵＥからネットワーク側に報告された付加的な干渉情報がＴＤＭ情報である場合、当該ＴＤＭ情報は、時分割多重伝送の場合の通知情報、及び／またはＵＥ内にＬＴＥ技術と共存している他の無線技術の技術タイプとサービスタイプであって、例えば、他の無線技術がＢｌｕｅｔｏｏｈ技術であると、Ｂｌｕｅｔｏｏｈ技術の現在のサービスタイプはインターネット電話（ＶｏＩＰ：Ｖｏｉｃｅ  ｏｖｅｒ  Ｉｎｔｅｒｎｅｔ  Ｐｒｏｔｏｃｏｌ）の音声アプリケーション、及び／またはＬＴＥ技術の伝送時間情報及びＴＤＭの周期情報であって、例えば、周期が５０ｍｓで、ＬＴＥ技術の伝送時間が２０ｍｓであり、及び／またはＴＤＭの周期情報とＴＤＭ周期におけるＬＴＥ伝送時間と非ＬＴＥ伝送時間の割合情報であって、例えば、１つのＴＤＭ周期がＬＴＥ伝送時間長＋非ＬＴＥ伝送時間長に等しく、及び／またはＵＥがプロトコルの規定によってＴＤＭ情報表を検索して得たインデックス情報であって、表６に示すように、プロトコルによって規定されたＴＤＭ情報表においてＵＥは実際な共存する無線技術及び現在のサービスタイプによって表を検索し、ネットワークにＴＤＭ情報表６におけるインデックス情報を報告する。
【００６０】
【表６】
0005968910.tif 000007
【００６１】
ＬＴＥ技術の伝送時間長情報及びＴＤＭの周期情報、及びＴＤＭの周期情報とＴＤＭ周期におけるＬＴＥ伝送時間長と非ＬＴＥ伝送時間長の割合情報について、ここで、これらのＴＤＭ情報は、ＵＥがネットワーク側に提案するＴＤＭ情報であり、最終のＬＴＥ技術と他の無線技術の間のＴＤＭ関係であり、即ちＬＴＥ技術の伝送時間長と非ＬＴＥ技術の伝送時間長のタイミング関係であり、ネットワーク側が決定を行う時にＵＥにより提案されたＴＤＭ関係を参照し、ネットワーク側は、さらに自身のポリシーによって最終的に決定を行うと説明すべきである。
【００６２】
ＵＥからネットワーク側に報告された付加的な干渉情報は現在の利用可能な測定結果である場合、当該現在の利用可能な測定結果とは、現在の全ての配置された測定タスクにおいて既に測定された測定結果である。
【００６３】
ＵＥからネットワーク側に報告された付加的な干渉情報は、第１の無線技術のアップリンク伝送が他の無線技術の受信に干渉する指示である場合、当該指示とは、現在の干渉の具体的な状況がＵＥの第１の無線技術の送信が他の無線技術の受信に干渉することを意味し、例えば、現在ＵＥが、装置内共存干渉が存在するのを確定した場合、第１の無線技術の周波数情報を報告する時に、ＵＥは、更に、同時に付加的な干渉情報をネットワーク側に報告する方法により、自身の必要な決定を与えるようにネットワーク側に提案し、当該決定がＵＥの干渉抑制対策とすることに用いられ、ＵＥは、ネットワーク側がＴＤＭ方式による決定を与えることを望むと、ＵＥは、ＴＤＭ情報を付加的な干渉情報として、第１の無線技術の周波数情報とともにネットワーク側に報告する。
【００６４】
または、ＵＥは、現在の利用可能な付加的な干渉情報の全体をネットワーク側に送信してネットワーク側からの決定を待つことができる。
【００６５】
ステップ３０2において、ネットワーク側は、報告された周波数情報、または周波数情報及び付加的な干渉情報によって決定を行う。
【００６６】
具体的に、ネットワーク側は、ＵＥから報告された第１の無線技術の周波数情報または第１の無線技術の周波数情報及び付加的な干渉情報によって決定を行い、そして決定をＵＥに送信する。
【００６７】
ＵＥが第１の無線技術の周波数情報をネットワーク側に送信する場合、ＵＥを、装置内共存干渉が生じない同じセルを覆うセルに切り替えるという決定(１)と、ＵＥがキャリアアグリゲーションを行っていると、装置内共存干渉が存在する１つ以上の補助サービングセル（Ｓｃｅｌｌ：Ｓｅｃｏｎｄａｒｙ  Ｃｅｌｌ）を削除し或いは非活性化し、及び／または、装置内共存干渉が存在せず且つメインサービングセル（Ｐｃｅｌｌ：Ｐｒｉｍａｒｙ  Ｃｅｌｌ）とキャリアアグリゲーションを行うことが可能な、削除し或いは非活性化されたＳｃｅｌｌと同じセルを覆うＳｃｅｌｌを増加し或いは活性化するという決定(２)と、ＵＥから報告された第１の無線技術の周波数情報が空であると、ＵＥの内部に装置内共存干渉が存在しないことを示し、ネットワーク側は、この前に行われた干渉抑制対策を取り消すという決定(3)と、うちの少なくとも1つの決定を行うことができる。
【００６８】
ＵＥが第１の無線技術の周波数情報及び付加的な干渉情報をネットワーク側に報告する場合、付加的な干渉情報がＴＤＭ情報を含むと、ネットワーク側は、ＵＥ内に用いられた各無線技術にＴＤＭの動作モードを配置するという決定(１)と、付加的な干渉情報が現在の利用可能な測定結果（例えば隣セルの測定結果）であると、ネットワーク側は、ＵＥを、装置内共存干渉が生じない隣セルに切り替え、または、ＵＥがキャリアアグリゲーションを行っていると、ネットワーク側は、装置内共存干渉が存在する１つ以上のＳｃｅｌｌを削除し或いは非活性化し、及び／または、装置内共存干渉が存在せずＰｃｅｌｌとキャリアアグリゲーションを行うことが可能な、削除し或いは非活性化されたＳｃｅｌｌと異なるセルを覆うＳｃｅｌｌを増加し或いは活性化することができるという決定（２）と、付加的な干渉情報が、第１の無線技術のアップリンク伝送が他の無線技術の受信に干渉する指示であると、ネットワーク側は、ＵＥにおける第１の無線技術のアップリンク伝送パワーを低減しまたは制限するという決定（３）と、異なる付加的な干渉情報に対応する決定のうちの少なくとも１つの決定、及び前節に記載される３つの決定を行うことができる。
【００６９】
ここで、ＵＥからネットワーク側に報告された第１の無線技術の周波数情報が空であると、ネットワーク側は、この前の干渉抑制対策を取り消す決定を行うと説明すべきである。
【００７０】
ステップ３０３において、ネットワーク側は、決定をＵＥに送信する。
【００７１】
具体的に、ネットワーク側は、決定をＵＥに送信し、ＵＥは、当該決定を受信した後実行する。
【００７２】
図４は、本発明に係る干渉情報の報告を実現する方法を採用した第２の実施形態のフローチャートである。図４に示すように、当該方法は、以下のステップを含む。
【００７３】
ステップ４０１において、ＵＥは装置内共存干渉の干渉状態が変化したことを検出した場合、第１の無線技術の周波数情報をネットワーク側に報告する。
【００７４】
具体的には、ステップ３０１を参照する。
【００７５】
ステップ４０２において、ネットワーク側は、ＵＥから報告された周波数情報によって、決定を行うことができるかどうかを判断し、決定を行うことができない場合、ステップ４０３を実行し、決定を行うことができる場合、ステップ４０５を実行する。
【００７６】
具体的には、ネットワーク側は、ＵＥから報告された第１の無線技術の周波数情報を受信した場合、当該周波数情報によって、決定を行うことができるかどうかを判断し、決定を行うことができる場合、ステップ４０５を実行し、周波数情報によって決定を行うことができない場合、ステップ４０３を実行し、ネットワーク側は、共に７つの決定を行うことができ、ここで、決定１、決定２と決定３は、ネットワーク側がＵＥから報告された周波数情報によって行うことができる決定であり、決定４〜決定７は、ネットワーク側がＵＥから報告された周波数情報によって行うことができない決定であり、７つの決定は、具体的に以下の通りである。
【００７７】
決定１：決定を行い、ＵＥを、装置内共存干渉が生じない同じセルを覆うセルに切り替えることができる。
【００７８】
具体的には、ネットワーク側がＵＥから報告された装置内共存干渉に関連する周波数バンド情報、ネットワーク側そのものの資源の使用状況、及び通信事業者の運営ポリシーによって、ネットワークにおいてＵＥの現在のサービングセルの覆う範囲と同じセルが存在し、且つ当該同じセルを覆うセルが干渉されないＬＴＥ周波数を用いたときにネットワーク側が干渉抑制決定を行うことができ、当該干渉抑制対策がＵＥを前記同じセルを覆うセルに切り替え、即ちＵＥを、装置内共存干渉が生じない同じセルを覆うセルに切り替えると確定する場合、ネットワーク側は、ＵＥから報告された第１の無線技術の周波数情報によって、決定を行うことができ、ステップ４０５を実行する。
【００７９】
決定２：決定を行い、装置内共存干渉が存在する１つ以上のＳｃｅｌｌを削除し或いは非活性化し、及び／または、装置内共存干渉が存在せずＰｃｅｌｌとキャリアアグリゲーションを行うことが可能な、削除し或いは非活性化されたＳｃｅｌｌと同じセルを覆うＳｃｅｌｌを増加し或いは活性化することができる。
【００８０】
具体的には、ＵＥの現在の動作状態がキャリアアグリゲーションを行い、即ちＵＥが同時に１つのＰｃｅｌｌと１つ以上のＳｃｅｌｌに動作すると、ネットワーク側はＵＥから報告された装置内共存干渉に関連する周波数バンド情報によって、Ｐｃｅｌｌは装置内共存干渉が存在せず、その中の１つ以上のＳｃｅｌｌのみは装置内共存干渉が存在するのを確定した場合、ネットワーク側は、干渉抑制決定を行うことができ、当該干渉抑制決定は、装置内共存干渉が存在する１つ以上のＳｃｅｌｌを削除し或いは非活性化することである。
【００８１】
更に、ネットワーク側がキャリアアグリゲーションの配置状況によって、削除し或いは非活性化された前記Ｓｃｅｌｌと同じセルを覆うセルの覆う範囲において、装置内共存干渉が存在せず且つＰｃｅｌｌとキャリアアグリゲーションを行うことが可能な、他のセルがあると確定した場合、ネットワーク側は、更に、装置内共存干渉が存在する１つ以上のＳｃｅｌｌを削除し或いは非活性化する決定を行うとともに、装置内共存干渉が存在せず且つＰｃｅｌｌとキャリアアグリゲーションを行うことが可能な他のセルを増加し或いは活性化することができる。この場合、ネットワーク側は、ＵＥから報告された第１の無線技術の周波数情報によって、決定を行うことができ、ステップ４０５を実行する。
【００８２】
決定３：決定を行い、ＵＥが実行している干渉抑制対策を取り消しまたは停止することができる。
【００８３】
具体的に、ＵＥから報告された第１の無線技術の周波数情報が空であると、現在のＵＥの内部に装置内共存干渉が存在しないことを示すため、ネットワーク側は、ＵＥが実行している干渉抑制対策を取り消しまたは停止することができる。
【００８４】
決定４：ＵＥにおける第１の無線技術のアップリンク伝送パワーを低減しまたは抑制する必要があると、現在、決定を行うことができない。
【００８５】
具体的に、ネットワーク側とインタラクティブを行う無線技術は、干渉側のサブモジュールであり、ＵＥにおける干渉側のサブモジュールのアップリンク伝送パワーを低減しまたは抑制することで装置内共存干渉を抑制でき、例えば、ネットワーク側とインタラクティブを行う現在の無線技術が第１の無線技術であり、干渉側のサブモジュールが第１の無線技術、例えばＬＴＥ技術であり、ＬＴＥ技術がＦＤＤの動作モードを用いてＢａｎｄ７で動作し、且つアップリンク伝送パワーを実行していると、装置内に使用を始めたＩＳＭ周波数バンドによる他の無線技術の受信に干渉し、この場合、ネットワーク側は、アップリンク伝送パワーを制御する干渉抑制の決定を行って、ＵＥのＬＴＥ技術のアップリンク伝送パワーを低減することができ、それによって装置内の他無線技術に対するＬＴＥ技術の干渉を低減することができる。しかし、ＵＥから報告された第１の無線技術の周波数情報だけによって、ネットワーク側は、決定を行うことができず、ＵＥの干渉方向を知る必要もある。そのため、ＵＥは、更に付加的な干渉情報をネットワーク側に報告する必要があり、ステップ４０３を実行する。
【００８６】
決定５：ＵＥを、装置内共存干渉が生じない隣セルに切り替える必要があるため、現在、決定を行うことができない。
【００８７】
具体的に、ネットワーク側がＵＥから報告された第１の無線技術の周波数情報、ネットワークの資源使用状況及び通信事業者のポリシーによって、ＵＥを隣セルに切り替えると、装置内の他の無線技術と干渉しないが、ＵＥを隣セルに切り替えると、ネットワーク側がＵＥの現在のサービングセルの隣セルについての測定結果を知る必要もあり、当該測定結果が隣セルの基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）及び／または基準信号受信パワー（ＲＳＲＰ：Ｒｅｆｅｒｅｎｃｅ  Ｓｉｇｎａｌ  Ｒｅｃｅｉｖｉｎｇ  Ｐｏｗｅｒ）などのパラメータであってよいと確定した場合、ＵＥから報告された第１の無線技術の周波数情報によって、ネットワーク側は、決定を行うことができず、ネットワーク側は、更にＵＥの現在のサービングセルの隣セルの測定結果を知る必要があるため、ＵＥは、更に付加的な干渉情報を報告する必要があり、ステップ４０３を実行する。
【００８８】
決定６：装置内共存干渉が存在する１つ以上のＳｃｅｌｌを削除しまたは非活性化し、及び／または装置内共存干渉が存在せず且つＰｃｅｌｌとキャリアアグリゲーションを行うことが可能な、削除しまたは非活性化されたＳｃｅｌｌと異なるセルを覆う１つ以上のＳｃｅｌｌを増加しまたは活性化する必要があるため、現在、干渉抑制決定を行うことができない。
【００８９】
具体的に、ＵＥの現在の動作状態がキャリアアグリゲーションを行っていること、即ちＵＥが同時に１つのＰｃｅｌｌと１つ以上のＳｃｅｌｌに動作することであり、ネットワーク側がＵＥから報告された装置内共存干渉に関する周波数バンド情報によって、Ｐｃｅｌｌは装置内共存干渉が存在せず、その中の１つ以上のＳｃｅｌｌだけに装置内共存干渉が存在すると確定した場合、ネットワーク側は、共存干渉が存在する１つ以上のＳｃｅｌｌを削除しまたは非活性化するという決定を行うことができる。
【００９０】
しかし、更に、ネットワーク側がキャリアアグリゲーションの配置状況によって、削除しまたは非活性化された前記Ｓｃｅｌｌの隣セルが装置内の他の無線技術に干渉せず、且つＰｃｅｌｌとキャリアアグリゲーションを行うことができると確定した場合、ネットワーク側は、更にＵＥの現在のサービングセルの隣セルについての測定結果を知った後、決定を行うことができ、当該測定結果が隣セルのＲＳＲＱ及び／またはＲＳＲＰなどのパラメータであってよく、そのため、この場合にネットワーク側は、ＵＥから報告された第１の無線技術の周波数情報によって、決定を行うことができず、ネットワーク側は、更にＵＥの現在のサービングセルの隣セルについての測定結果を知る必要があり、したがって、ＵＥは、付加的な干渉情報をネットワーク側に報告する必要があり、ステップ４０３を実行する。
【００９１】
決定７：使用し始めた、装置内共存干渉が生じる各無線技術にＴＤＭの動作モードを配置する必要があるため、現在、決定を行うことができない。
【００９２】
具体的に、ネットワーク側は、ＵＥに使用し始めた、装置内共存干渉が生じる各無線技術にＴＤＭの動作モードを配置する方法により干渉を抑制することができ、例えば、ある国、例えばインドで通信事業者の周波数資源が極めて少なく、Ｂａｎｄ４０の高周波数バンドのみが利用可能である場合があり、この場合で、ＵＥに使用し始めた、装置内共存干渉が生じる各無線サブモジュールにＴＤＭの動作モードを配置する方法により干渉を抑制することは、回避できない。この場合、ＵＥから報告された第１の無線技術の周波数情報によって、ネットワーク側は、決定を行うことができず、ネットワーク側は、更に現在の装置内に用いられた他の無線技術の技術タイプと用いられた様々な無線技術のサービスタイプ、及び選択可能な用いられた様々な無線技術の推定通信時間などの内容を知る必要があり、したがって、ＵＥは、付加的な干渉情報を報告する必要があり、ステップ４０３を実行する。
【００９３】
ステップ４０３において、ネットワーク側は、付加的な情報を報告するようにＵＥに指示する。
【００９４】
具体的に、ステップ４０２の決定４〜決定７に対して、ネットワーク側は、付加的な干渉情報の報告指示をＵＥに送信することで、付加的な干渉情報をネットワーク側に報告するようにＵＥに知らせる。
【００９５】
ここで、決定４に対して、ネットワーク側は、干渉方向の付加的な干渉情報の報告指示を送信する方式で、付加的な干渉情報を報告するようにＵＥに指示することができ、この場合、ＵＥから報告された付加的な干渉情報の内容がＵＥそのものの干渉方向である。
【００９６】
決定５と決定６に対して、ネットワーク側は、ＵＥに測定モードを配置する方式で、付加的な干渉情報を報告するようにＵＥに指示することができ、この場合、ＵＥから報告された付加的な干渉情報の内容はＵＥそのものの現在のサービングセルの隣セルの測定結果である。
【００９７】
決定７に対して、ネットワーク側は、ＴＤＭ情報の付加的な干渉情報の報告指示を送信する方式で、付加的な干渉情報を報告するようにＵＥに指示することができ、この場合、ＵＥから報告された付加的な干渉情報の内容がＴＤＭ情報である。
【００９８】
ネットワーク側がＵＥから報告された付加的な干渉情報の内容を知らせた場合、ＵＥは、前記付加的な干渉情報の内容の全体をネットワーク側に送信する。
【００９９】
ステップ４０４において、ネットワーク側からの付加的な情報の報告要求指示を受信した場合、ＵＥは、付加的な干渉情報をネットワーク側に報告する。
【０１００】
具体的には、ＵＥは、ネットワーク側からの付加的な干渉情報の報告指示を受信した場合、当該付加的な干渉情報の報告指示に応じて、ネットワーク側に必要な付加的な干渉情報を確定し、付加的な干渉情報をネットワーク側に報告する。
【０１０１】
ステップ４０５において、ネットワーク側は、決定をＵＥに送信する。
【０１０２】
具体的に、ステップ４０２の決定１と決定２に対して、ネットワーク側は、ＵＥから報告された周波数情報によって行われた決定を、ＵＥに送信し、ＵＥは、決定を受信した後に実行する。
【０１０３】
上記の方法を実現するために、本発明は、干渉情報の報告を実現するシステムを提供する。図５は、干渉情報の報告を実現するシステムの構成を示す図である。図５に示すように、当該システムは、ＵＥ５１とネットワーク側５２を含み、ここで、
ＵＥ５１は、装置内共存干渉の干渉状態が変化したことを検出した場合、第１の無線技術の周波数情報、または第１の無線技術の周波数情報及び付加的な干渉情報をネットワーク側５２に報告することに用いれ、
または、ＵＥ５１は、装置内共存干渉の干渉状態が変化したことを検出した場合、第１の無線技術の周波数情報をネットワーク側５２に報告し、ネットワーク側からの付加的な情報報告を要求する指示を受信した場合、付加的な干渉情報をネットワーク側に報告することに用いられ、
前記ネットワーク側５２は、付加的な干渉情報を報告するようにＵＥ５１に指示することに用いられる。
【０１０４】
前記ネットワーク側５２は、更に、報告された周波数情報、または周波数情報及び付加的な干渉情報によって決定を行い、前記決定をＵＥ５１に送信することに用いられる。
【０１０５】
以上は、本発明の最適的な実施例に過ぎず、本発明を制限するものではなく、本分野の当業者に対して、本発明の主旨精神と原則以内の、いかなる改修、同等入れ替わり、改良等は、本発明の保護範囲以内に含まれるべきである。
【産業上の利用可能性】
【０１０６】
本発明に係る情報の報告を実現する方法、システム及びＵＥであって、ユーザ装置（ＵＥ）は装置内共存干渉の干渉状態が変化したことを検出した場合、第１の無線技術の周波数情報、或いは第１の無線技術の周波数情報及び付加的な干渉情報をネットワーク側に報告し、または、ＵＥは装置内共存干渉の干渉状態が変化したことを検出した場合、第１の無線技術の周波数情報をネットワーク側に送信し、ＵＥがネットワーク側からの付加的な情報報告を要求する指示を受信した場合、付加的な干渉情報をネットワーク側に報告することにより、ＵＥが干渉に関連する周波数情報及び付加的な干渉情報をネットワーク側に報告するのを実現する。本発明の実現方法は、簡単で柔軟性があり、且つより高い効率を有し、ネットワーク側がＵＥから報告された周波数情報及び付加的な情報によって、装置内共存干渉に一致する適切な対策を行うことを保証できる。
【図１】
0005968910.tif 000008
【図２】
0005968910.tif 000009
【図３】
0005968910.tif 000010
【図４】
0005968910.tif 000011
【図５】
0005968910.tif 000012